(57)【要約】  本開示の様々な態様は、一般にワイヤレス通信に関する。いくつかの態様では、ユーザ機器が、マルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を受信し、少なくとも１つのランダムアクセスチャネルリソースを使用して、ＣＳＩフィードバックに少なくとも部分的に基づいて信号を送信し得る。いくつかの態様では、基地局が、複数のユーザ機器（ＵＥ）に提供されるべきマルチキャストまたはブロードキャスト（マルチキャスト／ブロードキャスト）信号に関するＣＳＩフィードバックのために使用されるべき少なくとも１つのランダムアクセスチャネルリソースを識別する構成情報を送信し、少なくとも１つのランダムアクセスチャネルリソース上で受信された信号に少なくとも部分的に基づいて、ＣＳＩフィードバックを決定し得る。数多くの他の態様が提供される。【選択図】図５
2021510994.tif 000002
【特許請求の範囲】
【請求項１】
ユーザ機器（ＵＥ）によって実行されるワイヤレス通信の方法であって、
マルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を受信することと、
前記少なくとも１つのランダムアクセスチャネルリソースを使用して、前記ＣＳＩフィードバックに少なくとも部分的に基づいて信号を送信することと
を備える方法。
【請求項２】
前記少なくとも１つのランダムアクセスチャネルリソースは、物理ランダムアクセスチャネルリソースを含む、請求項１に記載の方法。
【請求項３】
前記構成情報は、前記少なくとも１つのランダムアクセスチャネルリソースに関連付けられた時間、周波数、またはプリアンブルのうちの少なくとも１つを識別する、請求項１に記載の方法。
【請求項４】
前記少なくとも１つのランダムアクセスチャネルリソースは、前記構成情報によって識別される複数のランダムアクセスチャネルリソースのうちの１つであり、前記方法は、
前記ＣＳＩフィードバックに少なくとも部分的に基づいて、前記複数のランダムアクセスチャネルリソースから前記少なくとも１つのランダムアクセスチャネルリソースを選択すること
をさらに備える、請求項１に記載の方法。
【請求項５】
前記複数のランダムアクセスチャネルリソースは、それぞれのＣＳＩフィードバック状態に関連付けられており、前記少なくとも１つのランダムアクセスチャネルリソースは、前記少なくとも１つのランダムアクセスチャネルリソースに関連付けられたＣＳＩフィードバック状態に少なくとも部分的に基づいて選択される、請求項４に記載の方法。
【請求項６】
前記少なくとも１つのランダムアクセスチャネルリソースは、第１のタイプの送信に関するＣＳＩフィードバックのために使用されるべき第１のランダムアクセスチャネルリソースであり、
前記構成情報は、第２のタイプの送信に関するＣＳＩフィードバックのために使用されるべき第２のランダムアクセスチャネルリソースを識別する、請求項１に記載の方法。
【請求項７】
前記構成情報は、システム情報または制御情報中で受信される、請求項１に記載の方法。
【請求項８】
前記マルチキャスト／ブロードキャスト信号に関連付けられた基準信号に少なくとも部分的に基づいて、前記ＣＳＩフィードバックを決定すること
をさらに備える、請求項１に記載の方法。
【請求項９】
前記信号は、前記ＵＥが接続モードに入ることなしに送信される、請求項１に記載の方法。
【請求項１０】
前記信号は、前記ＵＥがアイドルモードにある間に送信される、請求項１に記載の方法。
【請求項１１】
前記信号は、前記ＵＥがアイドルモードから接続モードに遷移することなしに送信される、請求項１に記載の方法。
【請求項１２】
前記信号は、ランダムアクセスプリアンブルを備える、請求項１に記載の方法。
【請求項１３】
前記信号は、ランダムアクセスペイロードを備える、請求項１に記載の方法。
【請求項１４】
前記信号は、単一のメッセージ中にランダムアクセスプリアンブルおよびペイロードを備える、請求項１に記載の方法。
【請求項１５】
基地局（ＢＳ）によって実行されるワイヤレス通信の方法であって、
複数のユーザ機器（ＵＥ）に提供されるべきマルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を送信することと、
前記少なくとも１つのランダムアクセスチャネルリソース上で受信された信号に少なくとも部分的に基づいて、前記ＣＳＩフィードバックを決定することと
を備える方法。
【請求項１６】
前記少なくとも１つのランダムアクセスチャネルリソースは、物理ランダムアクセスチャネルリソースを含む、請求項１５に記載の方法。
【請求項１７】
前記構成情報は、前記少なくとも１つのランダムアクセスチャネルリソースに関連付けられた時間、周波数、またはプリアンブルのうちの少なくとも１つを識別する、請求項１５に記載の方法。
【請求項１８】
前記少なくとも１つのランダムアクセスチャネルリソースは、前記構成情報によって識別される複数のランダムアクセスチャネルリソースのうちの１つであり、前記ＣＳＩフィードバックは、前記複数のランダムアクセスチャネルリソースのうちのどのランダムアクセスチャネルリソースが前記信号を含むかに少なくとも部分的に基づいて決定される、請求項１５に記載の方法。
【請求項１９】
前記複数のランダムアクセスチャネルリソースは、それぞれのＣＳＩフィードバック状態に関連付けられている、請求項１８に記載の方法。
【請求項２０】
前記少なくとも１つのランダムアクセスチャネルリソースは、第１のタイプの送信に関するＣＳＩフィードバックのために使用されるべき第１のランダムアクセスチャネルリソースであり、
前記構成情報は、第２のタイプの送信に関するＣＳＩフィードバックのために使用されるべき第２のランダムアクセスチャネルリソースを識別する、請求項１５に記載の方法。
【請求項２１】
前記ＣＳＩフィードバックは、前記複数のＵＥのうちのＵＥのグループのためのＣＳＩフィードバックを表す、請求項１５に記載の方法。
【請求項２２】
前記ＣＳＩフィードバックは、前記信号の強度または電力に少なくとも部分的に基づいて決定される、請求項１５に記載の方法。
【請求項２３】
前記ＣＳＩフィードバックに少なくとも部分的に基づいて、変調またはコーディング構成を決定すること
をさらに備える、請求項１５に記載の方法。
【請求項２４】
前記信号は、前記複数のＵＥのうちの複数の異なるＵＥによって生成される、請求項１５に記載の方法。
【請求項２５】
前記信号は、アイドルモードにある、前記複数のＵＥのうちの複数のＵＥによって生成される、請求項１５に記載の方法。
【請求項２６】
前記信号は、
ランダムアクセスプリアンブル、
ランダムアクセスペイロード、または
単一のメッセージ中のランダムアクセスプリアンブルおよびペイロード
のうちの少なくとも１つを備える、請求項１５に記載の方法。
【請求項２７】
ワイヤレス通信のためのユーザ機器（ＵＥ）であって、
メモリと、
前記メモリに結合された１つまたは複数のプロセッサと
を備え、前記メモリおよび前記１つまたは複数のプロセッサは、
マルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を受信することと、
前記少なくとも１つのランダムアクセスチャネルリソースを使用して、前記ＣＳＩフィードバックに少なくとも部分的に基づいて信号を送信することと
を行うように構成される、ＵＥ。
【請求項２８】
前記信号は、前記ＵＥが接続モードに入ることなしに送信される、請求項２７に記載のＵＥ。
【請求項２９】
ワイヤレス通信のための基地局であって、
メモリと、
前記メモリに結合された１つまたは複数のプロセッサと
を備え、前記メモリおよび前記１つまたは複数のプロセッサは、
複数のユーザ機器（ＵＥ）に提供されるべきマルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を送信することと、
前記少なくとも１つのランダムアクセスチャネルリソース上で受信された信号に少なくとも部分的に基づいて、前記ＣＳＩフィードバックを決定することと
を行うように構成される、基地局。
【請求項３０】
前記信号は、前記複数のＵＥのうちの複数の異なるＵＥによって生成される、請求項２９に記載の基地局。
【発明の詳細な説明】
【米国特許法第１１９条に基づく関連出願の相互参照】
【０００１】
[0001]本願は、２０１８年４月６日に出願された「TECHNIQUES AND APPARATUSES FOR GROUP CSI FEEDBACK FOR MULTICAST/BROADCAST TRANSMISSION」と題する米国仮特許出願第６２／６５４，０３７号、および２０１９年４月２日に出願された「GROUP CSI FEEDBACK FOR MULTICAST/BROADCAST TRANSMISSION」と題する米国非仮特許出願第１６／３７２，５３２号の優先権を主張し、これらは、ここでの参照により本明細書に明確に組み込まれている。
【技術分野】
【０００２】
[0002]本開示の態様は、一般にワイヤレス通信に関し、より詳細には、マルチキャストまたはブロードキャスト（マルチキャスト／ブロードキャスト）送信のためのグループチャネル状態情報（ＣＳＩ）フィードバックのための技法および装置に関する。
【背景技術】
【０００３】
[0003]ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力、および／または同様のもの）を共有することによって複数の（multiple）ユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格への拡張セットである。
【０００４】
[0004]ワイヤレス通信ネットワークは、いくつかのユーザ機器（ＵＥ）のための通信をサポートし得るいくつかの基地局（ＢＳ）を含み得る。ユーザ機器（ＵＥ）は、ダウンリンクおよびアップリンクを介して基地局（ＢＳ）と通信し得る。ダウンリンク（または、順方向リンク）は、ＢＳからＵＥへの通信リンクを指し、アップリンク（または、逆方向リンク）は、ＵＥからＢＳへの通信リンクを指す。本明細書でより詳細に説明されるように、ＢＳは、ノードＢ、ｇＮＢ、アクセスポイント（ＡＰ）、無線ヘッド、送受信ポイント（ＴＲＰ）、新無線（ＮＲ：New Radio）ＢＳ、５ＧノードＢ、および／または同様のもので呼ばれ得る。
【０００５】
[0005]上記の多元接続技術は、異なるユーザ機器が都市、国家、地域、さらには地球レベルで通信することを可能にする共通プロトコルを提供するために、様々な電気通信規格において採用されてきた。５Ｇとも呼ばれ得る新無線（ＮＲ）は、第３世代パートナーシッププロジェクト（３ＧＰＰ）によって公表されたＬＴＥモバイル規格への拡張セットである。ＮＲは、スペクトル効率を改善すること、コストを下げること、サービスを改善すること、新しいスペクトルを利用すること、および、ダウンリンク（ＤＬ）上ではサイクリックプレフィックス（ＣＰ）を伴う直交周波数分割多重化（ＯＦＤＭ）（ＣＰ−ＯＦＤＭ）を使用し、アップリンク（ＵＬ）上ではＣＰ−ＯＦＤＭおよび／またはＳＣ−ＦＤＭ（例えば、離散フーリエ変換拡散ＯＦＤＭ（ＤＦＴ−ｓ−ＯＦＤＭ）としても知られる）を使用し、ならびにビームフォーミング、多入力多出力（ＭＩＭＯ）アンテナ技術、およびキャリアアグリゲーションをサポートして、他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥおよびＮＲ技術におけるさらなる改善が必要とされる。好ましくは、これらの改善は、他の多元接続技術、およびこれらの技術を用いる電気通信規格に適用可能であるべきである。
【発明の概要】
【０００６】
[0006]いくつかの態様では、ユーザ機器（ＵＥ）によって実行されるワイヤレス通信の方法が、マルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を受信することと、少なくとも１つのランダムアクセスチャネルリソースを使用して、ＣＳＩフィードバックに少なくとも部分的に基づいて信号を送信することと、を含み得る。
【０００７】
[0007]いくつかの態様では、ワイヤレス通信のためのＵＥが、メモリと、メモリに動作可能に結合された１つまたは複数のプロセッサとを含み得る。メモリおよび１つまたは複数のプロセッサは、マルチキャスト／ブロードキャスト信号に関するＣＳＩフィードバックのために使用されるべき少なくとも１つのランダムアクセスチャネルリソースを識別する構成情報を受信することと、少なくとも１つのランダムアクセスチャネルリソースを使用して、ＣＳＩフィードバックに少なくとも部分的に基づいて信号を送信することと、を行うように構成され得る。
【０００８】
[0008]いくつかの態様では、非一時的なコンピュータ可読媒体が、ワイヤレス通信のための１つまたは複数の命令を記憶し得る。１つまたは複数の命令は、ＵＥの１つまたは複数のプロセッサによって実行されると、１つまたは複数のプロセッサに、マルチキャスト／ブロードキャスト信号に関するＣＳＩフィードバックのために使用されるべき少なくとも１つのランダムアクセスチャネルリソースを識別する構成情報を受信することと、少なくとも１つのランダムアクセスチャネルリソースを使用して、ＣＳＩフィードバックに少なくとも部分的に基づいて信号を送信することと、を行わせ得る。
【０００９】
[0009]いくつかの態様では、ワイヤレス通信のための装置が、マルチキャスト／ブロードキャスト信号に関するＣＳＩフィードバックのために使用されるべき少なくとも１つのランダムアクセスチャネルリソースを識別する構成情報を受信するための手段と、少なくとも１つのランダムアクセスチャネルリソースを使用して、ＣＳＩフィードバックに少なくとも部分的に基づいて信号を送信するための手段と、を含み得る。
【００１０】
[0010]いくつかの態様では、基地局によって実行されるワイヤレス通信の方法が、複数のＵＥに提供されるべきマルチキャスト／ブロードキャスト信号に関するＣＳＩフィードバックのために使用されるべき少なくとも１つのランダムアクセスチャネルリソースを識別する構成情報を送信することと、少なくとも１つのランダムアクセスチャネルリソース上で受信された信号に少なくとも部分的に基づいて、ＣＳＩフィードバックを決定することと、を含み得る。
【００１１】
[0011]いくつかの態様では、ワイヤレス通信のための基地局が、メモリと、メモリに動作可能に結合された１つまたは複数のプロセッサとを含み得る。メモリおよび１つまたは複数のプロセッサは、複数のＵＥに提供されるべきマルチキャスト／ブロードキャスト信号に関するＣＳＩフィードバックのために使用されるべき少なくとも１つのランダムアクセスチャネルリソースを識別する構成情報を送信することと、少なくとも１つのランダムアクセスチャネルリソース上で受信された信号に少なくとも部分的に基づいて、ＣＳＩフィードバックを決定することと、を行うように構成され得る。
【００１２】
[0012]いくつかの態様では、非一時的なコンピュータ可読媒体が、ワイヤレス通信のための１つまたは複数の命令を記憶し得る。１つまたは複数の命令は、基地局の１つまたは複数のプロセッサによって実行されると、１つまたは複数のプロセッサに、複数のＵＥに提供されるべきマルチキャスト／ブロードキャスト信号に関するＣＳＩフィードバックのために使用されるべき少なくとも１つのランダムアクセスチャネルリソースを識別する構成情報を送信することと、少なくとも１つのランダムアクセスチャネルリソース上で受信された信号に少なくとも部分的に基づいて、ＣＳＩフィードバックを決定することと、を行わせ得る。
【００１３】
[0013]いくつかの態様では、ワイヤレス通信のための装置が、複数のＵＥに提供されるべきマルチキャスト／ブロードキャスト信号に関するＣＳＩフィードバックのために使用されるべき少なくとも１つのランダムアクセスチャネルリソースを識別する構成情報を送信するための手段と、少なくとも１つのランダムアクセスチャネルリソース上で受信された信号に少なくとも部分的に基づいて、ＣＳＩフィードバックを決定するための手段と、を含み得る。
【００１４】
[0014]態様は、概して、添付の図面および明細書を参照して本明細書で実質的に説明され、かつ、添付の図面および明細書によって例示されるような、方法、装置、システム、コンピュータプログラム製品、非一時的なコンピュータ可読媒体、ユーザ機器、基地局、ワイヤレス通信デバイス、および処理システムを含む。
【００１５】
[0015]前述は、以下の詳細な説明がより良く理解され得るように、本開示による例の特徴および技術的な利点をどちらかと言えば広く概説している。追加の特徴および利点が以下に説明される。開示される概念および特定の例は、本開示の同じ目的を成し遂げるための他の構造を修正または設計するための基礎として容易に利用され得る。このような同等の構造は、添付の特許請求の範囲の範囲から逸脱しない。本明細書で開示される概念の特性は、関連する利点とともに、それらの編成および動作の方法の両方について、添付の図面に関連して考慮されるとき、以下の説明からより良く理解されるであろう。図面の各々は、特許請求の範囲の限定の定義としてではなく、例示および説明を目的として提供される。
【図面の簡単な説明】
【００１６】
[0016]本開示の上記の特徴が詳細に理解され得るように、上記では簡潔に概要を述べたそのより詳細な説明が、態様を参照することによって得られ得、そのいくつかは、添付の図面に例示されている。しかしながら、添付の図面は、本開示のある特定の典型的な態様のみを例示しており、したがって、その範囲を限定するものと見なされるべきではないことに留意されたい。というのも、この説明は、他の同様に有効な態様にも当てはまり得るからである。異なる図面における同じ参照番号は、同じまたは同様の要素を識別し得る。
【図１】[0017]図１は、本開示の様々な態様による、ワイヤレス通信ネットワークの例を概念的に例示するブロック図である。
【図２】[0018]図２は、本開示の様々な態様による、ワイヤレス通信ネットワークにおけるＵＥと通信状態にある基地局の例を概念的に例示するブロック図である。
【図３Ａ】[0019]図３Ａは、本開示の様々な態様による、ワイヤレス通信ネットワークにおけるフレーム構造の例を概念的に例示するブロック図である。
【図３Ｂ】[0020]図３Ｂは、本開示の様々な態様による、ワイヤレス通信ネットワークにおける例となる同期通信階層を概念的に例示するブロック図である。
【図４】[0021]図４は、本開示の様々な態様による、通常のサイクリックプレフィックスを有する、例となるサブフレームフォーマットを概念的に例示するブロック図である。
【図５】[0022]図５は、本開示の様々な態様による、マルチキャスト／ブロードキャスト通信のためのランダムアクセスチャネルリソースに少なくとも部分的に基づいて、ＣＳＩフィードバックを提供する例を例示する図である。
【図６】[0023]図６は、本開示の様々な態様による、マルチキャスト／ブロードキャスト通信のためのランダムアクセスチャネルリソースに少なくとも部分的に基づいて、複数のＵＥのためのＣＳＩフィードバックを提供する例を例示する図である。
【図７】[0024]図７は、本開示の様々な態様による、例えば、ユーザ機器によって実行される、例となるプロセスを例示する図である。
【図８】[0025]図８は、本開示の様々な態様による、例えば、基地局によって実行される、例となるプロセスを例示する図である。
【詳細な説明】
【００１７】
[0026]本開示の様々な態様が、添付の図面を参照して以下により十分に説明される。しかしながら、本開示は、多くの異なる形態で具現化され得、本開示の全体にわたって提示される任意の特定の構造または機能に限定されるものとして解釈されるべきではない。むしろ、これらの態様は、本開示が十分かつ完全であり、当業者に本開示の範囲を十分に伝えるように提供される。本明細書の教示に基づき、当業者は、本開示の範囲が、本開示のその他任意の態様と組み合わされてインプリメントされようと、あるいは独立してインプリメントされようと、本明細書に開示される開示の任意の態様をカバーするように意図されていることを理解すべきである。例えば、本明細書に示される任意の数の態様を使用して、装置がインプリメントされ得、または方法が実施され得る。加えて、本開示の範囲は、本明細書に示される本開示の様々な態様に加えて、またはそれ以外の、他の構造、機能、または構造と機能を使用して実施されるそのような装置または方法をカバーするように意図される。本明細書で開示される本開示の任意の態様が、請求項の１つまたは複数の要素によって具現化され得ることが理解されるべきである。
【００１８】
[0027]ここで、電気通信システムのいくつかの態様が、様々な装置および技法を参照して提示される。これらの装置および技法は、以下の詳細な説明において説明され、様々なブロック、モジュール、コンポーネント、回路、ステップ、プロセス、アルゴリズム、および／または同様のもの（「要素」と総称される）によって、添付の図面において例示される。これらの要素は、ハードウェア、ソフトウェア、またはこれらの組合せを使用してインプリメントされ得る。このような要素がハードウェアとしてインプリメントされるか、あるいはソフトウェアとしてインプリメントされるかは、特定のアプリケーションおよびシステム全体に課される設計制約に依存する。
【００１９】
[0028]態様が、３Ｇおよび／または４Ｇワイヤレス技術に一般に関連付けられた専門用語を使用して本明細書で説明され得る一方で、本開示の態様は、ＮＲ技術を含む、例えば、５Ｇ以降などの、他の世代ベースの通信システムにおいて適用され得ることに留意されたい。
【００２０】
[0029]図１は、本開示の態様が実施され得るネットワーク１００を例示する図である。ネットワーク１００は、ＬＴＥネットワーク、または５ＧまたはＮＲネットワークなどの何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と、他のネットワークエンティティとを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送受信ポイント（ＴＲＰ）、および／または同様の名称でも呼ばれ得る。各ＢＳは、特定の地理的エリアに通信カバレッジを提供し得る。３ＧＰＰでは、「セル」という用語は、この用語が使用されるコンテキストに応じて、ＢＳのカバレッジエリアおよび／またはこのカバレッジエリアにサービス提供するＢＳサブシステムを指し得る。
【００２１】
[0030]ＢＳは、マクロセル、ピコセル、フェムトセル、および／または別のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ）中のＵＥ）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つまたは複数の（例えば、３つの）セルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書で交換可能に使用され得る。
【００２２】
[0031]いくつかの態様では、セルは、必ずしも固定的ではなく、セルの地理的エリアは、モバイルＢＳのロケーションに従って移動し得る。いくつかの態様では、ＢＳは、任意の好適なトランスポートネットワークを使用して、直接的な物理接続、仮想ネットワーク、および／または同様のものなどの、様々なタイプのバックホールインターフェースを通じて、アクセスネットワーク１００において互いに、および／または１つまたは複数の他のＢＳまたはネットワークノード（図示せず）に、相互接続され得る。
【００２３】
[0032]ワイヤレスネットワーク１００はまた、中継局を含み得る。中継局は、アップストリーム局（例えば、ＢＳまたはＵＥ）からデータの送信を受信し、ダウンストリーム局（例えば、ＵＥまたはＢＳ）にデータの送信を送り得るエンティティである。中継局はまた、他のＵＥのための送信を中継し得るＵＥであり得る。図１に示される例では、中継局１１０ｄは、ＢＳ１１０ａとＵＥ１２０ｄとの間の通信を容易にするために、マクロＢＳ１１０ａおよびＵＥ１２０ｄと通信し得る。中継局は、中継ＢＳ、中継基地局、中継器、および／または同様の名称でも呼ばれ得る。
【００２４】
[0033]ワイヤレスネットワーク１００は、異なるタイプのＢＳ、例えば、マクロＢＳ、ピコＢＳ、フェムトＢＳ、中継ＢＳ、および／または同様のものを含む異種ネットワークであり得る。これらの異なるタイプのＢＳは、ワイヤレスネットワーク１００において、異なる送信電力レベル、異なるカバレッジエリア、および干渉に対する異なる影響を有し得る。例えば、マクロＢＳは、高い送信電力レベル（例えば、５〜４０ワット）を有し得、一方、ピコＢＳ、フェムトＢＳ、および中継ＢＳは、より低い送信電力レベル（例えば、０．１〜２ワット）を有し得る。
【００２５】
[0034]ネットワークコントローラ１３０が、ＢＳのセットに結合し得、これらのＢＳに対して調整および制御を提供し得る。ネットワークコントローラ１３０は、バックホールを介してＢＳと通信し得る。ＢＳはまた、例えば、ワイヤレスまたはワイヤラインバックホールを介して直接的または間接的に、互いに通信し得る。
【００２６】
[0035]ＵＥ１２０（例えば、１２０ａ、１２０ｂ、１２０ｃ）は、ワイヤレスネットワーク１００全体にわたって分散され得、各ＵＥは、固定式またはモバイルであり得る。ＵＥは、アクセス端末、端末、モバイル局、加入者ユニット、局、および／または同様の名称でも呼ばれ得る。ＵＥは、セルラフォン（例えば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療用デバイスまたは機器、生体センサ／デバイス、ウェアラブルデバイス（例えば、スマートウォッチ、スマート衣料、スマート眼鏡、スマートリストバンド、スマートジュエリー（例えば、スマートリング、スマートブレスレット））、娯楽デバイス（例えば、音楽またはビデオデバイス、あるいは衛星ラジオ）、車両コンポーネントまたはセンサ、スマートメータ／センサ、工業生産機器、全地球測位システムデバイス、またはワイヤレスまたはワイヤード媒体を介して通信するように構成されたその他任意の好適なデバイスであり得る。
【００２７】
[0036]いくつかのＵＥは、マシンタイプ通信（ＭＴＣ）ＵＥまたは発展型もしくは拡張型マシンタイプ通信（ｅＭＴＣ）ＵＥと見なされ得る。ＭＴＣ  ＵＥおよびｅＭＴＣ  ＵＥは、基地局、別のデバイス（例えば、遠隔デバイス）、または何らかの他のエンティティと通信し得る、例えば、ロボット、ドローン、遠隔デバイス、センサ、メータ、モニタ、ロケーションタグ、および／または同様のものを含む。ワイヤレスノードは、例えば、ワイヤードまたはワイヤレス通信リンクを介して、ネットワーク（例えば、セルラネットワークまたはインターネットなどのワイドエリアネットワーク）のための、またはネットワークへの接続性を提供し得る。いくつかのＵＥは、モノのインターネット（ＩｏＴ）デバイスと見なされ得、および／またはＮＢ−ＩｏＴ（狭帯域モノのインターネット）デバイスとしてインプリメントされ得る。いくつかのＵＥは、カスタマ構内設備（ＣＰＥ：Customer Premises Equipment）と見なされ得る。ＵＥ１２０は、プロセッサコンポーネント、メモリコンポーネント、および／または同様のものなどの、ＵＥ１２０のコンポーネントを収容するハウジング内に含まれ得る。
【００２８】
[0037]一般に、任意の数のワイヤレスネットワークが、所与の地理的エリアにおいて展開され得る。各ワイヤレスネットワークは、特定のＲＡＴをサポートし得、１つまたは複数の周波数上で動作し得る。ＲＡＴは、無線技術、エアインターフェース、および／または同様の名称でも呼ばれ得る。周波数は、キャリア、周波数チャネル、および／または同様の名称でも呼ばれ得る。各周波数は、異なるＲＡＴのワイヤレスネットワーク間の干渉を回避するために、所与の地理的エリアにおいて単一のＲＡＴをサポートし得る。いくつかのケースでは、ＮＲまたは５Ｇ  ＲＡＴネットワークが展開され得る。
【００２９】
[0038]いくつかの態様では、２つ以上のＵＥ１２０（例えば、ＵＥ１２０ａおよびＵＥ１２０ｅとして示される）が、（例えば、互いに通信するための仲介役としてＢＳ１１０を使用せずに）１つまたは複数のサイドリンクチャネルを使用して直接通信し得る。例えば、ＵＥ１２０は、ピアツーピア（Ｐ２Ｐ）通信、デバイスツーデバイス（Ｄ２Ｄ）通信、ビークルツーエブリシング（Ｖ２Ｘ：vehicle-to-everything）プロトコル（例えば、これは、車車間（Ｖ２Ｖ）プロトコル、路車間（Ｖ２Ｉ：vehicle-to-infrastructure）プロトコル、および／または同様のものを含み得る）、メッシュネットワーク、および／または同様のものを使用して通信し得る。このケースでは、ＵＥ１２０は、スケジューリング動作、リソース選択動作、および／またはＢＳ１１０によって実行されるものとして本明細書の他の箇所で説明される他の動作を実行し得る。
【００３０】
[0039]上記で示されたように、図１は、単に例として提供される。他の例は、図１に関して説明されたものとは異なり得る。
【００３１】
[0040]図２は、図１の基地局のうちの１つおよびＵＥのうちの１つであり得る、ＢＳ１１０およびＵＥ１２０の設計２００のブロック図を示す。ＢＳ１１０は、Ｔ個のアンテナ２３４ａ〜２３４ｔを装備し得、ＵＥ１２０は、Ｒ個のアンテナ２５２ａ〜２５２ｒを装備し得、ここで、一般に、Ｔ≧１およびＲ≧１である。
【００３２】
[0041]ＢＳ１１０において、送信プロセッサ２２０は、１つまたは複数のＵＥのためにデータソース２１２からデータを受信し、ＵＥから受信されたチャネル品質インジケータ（ＣＱＩ）に少なくとも部分的に基づいて、各ＵＥについての１つまたは複数の変調およびコーディングスキーム（ＭＣＳ）を選択し、各ＵＥのためのデータを、そのＵＥのために選択された（１つまたは複数の）ＭＣＳに少なくとも部分的に基づいて処理（例えば、符号化および変調）し、全てのＵＥのためのデータシンボルを提供し得る。送信プロセッサ２２０はまた、（例えば、半静的なリソース区分情報（ＳＲＰＩ：semi-static resource partitioning information）、および／または同様のものについての）システム情報および制御情報（例えば、ＣＱＩ要求、許可、上位レイヤシグナリング、および／または同様のもの）を処理し、オーバヘッドシンボルおよび制御シンボルを提供し得る。送信プロセッサ２２０はまた、基準信号（例えば、セル固有基準信号（ＣＲＳ））および同期信号（例えば、１次同期信号（ＰＳＳ）および２次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバヘッドシンボル、および／または基準シンボルに対して空間処理（例えば、プリコーディング）を実行し得、Ｔ個の変調器（ＭＯＤ）２３２ａ〜２３２ｔにＴ個の出力シンボルストリームを提供し得る。各変調器２３２は、（例えば、ＯＦＤＭおよび／または同様のもののために）それぞれの出力シンボルストリームを処理して、出力サンプルストリームを取得し得る。各変調器２３２は、出力サンプルストリームをさらに処理（例えば、アナログ変換、増幅、フィルタリング、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によれば、同期信号は、追加情報を伝達するためにロケーション符号化（location encoding）を用いて生成され得る。
【００３３】
[0042]ＵＥ１２０において、アンテナ２５２ａ〜２５２ｒは、ＢＳ１１０および／または他の基地局からのダウンリンク信号を受信し得、受信された信号を、それぞれ復調器（ＤＥＭＯＤ）２５４ａ〜２５４ｒに提供し得る。各復調器２５４は、受信された信号を調整（例えば、フィルタリング、増幅、ダウンコンバート、およびデジタル化）して、入力サンプルを取得し得る。各復調器２５４は、（例えば、ＯＦＤＭおよび／または同様のもののために）入力サンプルをさらに処理して、受信されたシンボルを取得し得る。ＭＩＭＯ検出器２５６は、全てのＲ個の復調器２５４ａ〜２５４ｒから、受信されたシンボルを取得し、適用可能な場合、受信されたシンボルに対してＭＩＭＯ検出を実行し、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）、および／または同様のものを決定し得る。
【００３４】
[0043]アップリンク上では、ＵＥ１２０において、送信プロセッサ２６４が、データソース２６２からのデータおよびコントローラ／プロセッサ２８０からの（例えば、ＲＳＲＰ、ＲＳＳＩ、ＲＳＲＱ、ＣＱＩ、および／または同様のものを備える報告のための）制御情報を受信および処理し得る。送信プロセッサ２６４はまた、１つまたは複数の基準信号のための基準シンボルを生成し得る。送信プロセッサ２６４からのシンボルは、適用可能な場合、ＴＸ  ＭＩＭＯプロセッサ２６６によってプリコーディングされ、（例えば、ＤＦＴ−ｓ−ＯＦＤＭ、ＣＰ−ＯＦＤＭ、および／または同様のもののために）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合、ＭＩＭＯ検出器２３６によって検出され、受信プロセッサ２３８によってさらに処理されて、ＵＥ１２０によって送られた、復号されたデータおよび制御情報を取得し得る。受信プロセッサ２３８は、復号されたデータをデータシンク２３９に提供し、復号された制御情報をコントローラ／プロセッサ２４０に提供し得る。ＢＳ１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３５】
[0044]いくつかの態様では、ＵＥ１２０の１つまたは複数のコンポーネントは、ハウジング中に含まれ得る。ＢＳ１１０のコントローラ／プロセッサ２４０、ＵＥ１２０のコントローラ／プロセッサ２８０、および／または図２のその他任意の（１つまたは複数の）コンポーネントは、本明細書の他の箇所でより詳細に説明されるように、マルチキャスト／ブロードキャスト送信のためのグループＣＳＩに関連付けられた１つまたは複数の技法を実行し得る。例えば、ＢＳ１１０のコントローラ／プロセッサ２４０、ＵＥ１２０のコントローラ／プロセッサ２８０、および／または図２のその他任意の（１つまたは複数の）コンポーネントは、例えば、図７のプロセス７００、図８のプロセス８００、および／または本明細書で説明される他のプロセスの動作を実行または指示し得る。メモリ２４２および２８２は、それぞれ、ＢＳ１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００３６】
[0045]いくつかの態様では、ＵＥ１２０は、マルチキャスト／ブロードキャスト信号に関するＣＳＩフィードバックのために使用されるべき少なくとも１つのランダムアクセスチャネルリソースを識別する構成情報を受信するための手段、少なくとも１つのランダムアクセスチャネルリソースを使用して、ＣＳＩフィードバックに少なくとも部分的に基づいて信号を送信するための手段、ＣＳＩフィードバックに少なくとも部分的に基づいて、複数のランダムアクセスチャネルリソースから少なくとも１つのランダムアクセスチャネルリソースを選択するための手段、マルチキャスト／ブロードキャスト信号に関連付けられた基準信号に少なくとも部分的に基づいて、ＣＳＩフィードバックを決定するための手段、および／または同様のものを含み得る。いくつかの態様では、このような手段は、図２に関連して説明されたＵＥ１２０の１つまたは複数のコンポーネントを含み得る。
【００３７】
[0046]いくつかの態様では、ＢＳ１１０は、複数のＵＥに提供されるべきマルチキャスト／ブロードキャスト信号に関するＣＳＩフィードバックのために使用されるべき少なくとも１つのランダムアクセスチャネルリソースを識別する構成情報を送信するための手段、少なくとも１つのランダムアクセスチャネルリソース上で受信された信号に少なくとも部分的に基づいて、ＣＳＩフィードバックを決定するための手段、ＣＳＩフィードバックに少なくとも部分的に基づいて、変調またはコーディング構成を決定するための手段、および／または同様のものを含み得る。いくつかの態様では、このような手段は、図２に関連して説明されたＢＳ１１０の１つまたは複数のコンポーネントを含み得る。
【００３８】
[0047]上記で示されたように、図２は、単に例として提供される。他の例は、図２に関して説明されたものとは異なり得る。
【００３９】
[0048]図３Ａは、電気通信システム（例えば、ＮＲ）における周波数分割複信（ＦＤＤ）のための例となるフレーム構造３００を示す。ダウンリンクおよびアップリンクの各々についての送信タイムラインは、（フレームと呼ばれることもある）無線フレームの単位に区分され得る。各無線フレームは、所定の持続時間（例えば、１０ミリ秒（ｍｓ））を有し得、（例えば、０〜Ｚ−１のインデックスをもつ）Ｚ個（Ｚ≧１）のサブフレームのセットに区分され得る。各サブフレームは、所定の持続時間（例えば、１ｍｓ）を有し得、スロットのセットを含み得る（例えば、サブフレーム当たり２ｍ個のスロットが図３Ａに示され、ここで、ｍは、０、１、２、３、４、および／または同様のものなどの、送信のために使用されるヌメロロジ（numerology）である）。各スロットは、Ｌ個のシンボル期間のセットを含み得る。例えば、各スロットは、（例えば、図３Ａに示されるように）１４個のシンボル期間、７個のシンボル期間、または別の数のシンボル期間を含み得る。サブフレームが２つのスロットを含むケースでは（例えば、ｍ＝１であるとき）、サブフレームは、２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリング単位は、フレームベース、サブフレームベース、スロットベース、シンボルベース、および／または同様のものであり得る。
【００４０】
[0049]いくつかの技法が、フレーム、サブフレーム、スロット、および／または同様のものに関連して本明細書で説明される一方で、これらの技法は、５Ｇ  ＮＲにおいて「フレーム」、「サブフレーム」、「スロット」、および／または同様のもの以外の用語を使用して呼ばれ得る、他のタイプのワイヤレス通信構造に等しく適用され得る。いくつかの態様では、ワイヤレス通信構造は、ワイヤレス通信規格および／またはプロトコルによって定義された周期的な時間限定通信単位（a periodic time-bounded communication unit）を指し得る。追加または代替として、図３Ａに示されるものとは異なる構成のワイヤレス通信構造が使用され得る。
【００４１】
[0050]ある特定の電気通信（例えば、ＮＲ）では、基地局は、同期信号を送信し得る。例えば、基地局は、基地局によってサポートされる各セルについてのダウンリンク上で、１次同期信号（ＰＳＳ）、２次同期信号（ＳＳＳ）、および／または同様のものを送信し得る。ＰＳＳおよびＳＳＳは、セル探索および獲得（cell search and acquisition）のためにＵＥによって使用され得る。例えば、ＰＳＳは、シンボルタイミングを決定するためにＵＥによって使用され得、ＳＳＳは、基地局に関連付けられた物理セル識別子と、フレームタイミングとを決定するためにＵＥによって使用され得る。基地局はまた、物理ブロードキャストチャネル（ＰＢＣＨ）を送信し得る。ＰＢＣＨは、ＵＥによる初期アクセスをサポートするシステム情報などの、何らかのシステム情報を搬送し得る。
【００４２】
[0051]いくつかの態様では、基地局は、図３Ｂに関連して以下で説明されるように、複数の同期通信（例えば、同期信号（ＳＳ）ブロック）を含む同期通信階層（例えば、ＳＳ階層）に従って、ＰＳＳ、ＳＳＳ、および／またはＰＢＣＨを送信し得る。
【００４３】
[0052]図３Ｂは、同期通信階層の一例である、例となるＳＳ階層を概念的に例示するブロック図である。図３Ｂに示されるように、ＳＳ階層は、ＳＳバーストセットを含み得、これは、複数のＳＳバースト（ＳＳバースト０〜ＳＳバーストＢ−１として識別され、ここで、Ｂは、基地局によって送信され得るＳＳバーストの最大繰り返し回数である）を含み得る。さらに示されるように、各ＳＳバーストは、１つまたは複数のＳＳブロック（ＳＳブロック０〜ＳＳブロック（ｂｍａｘ＿ＳＳ−１）として識別され、ここで、ｂｍａｘ＿ＳＳ−１は、ＳＳバーストによって搬送され得るＳＳブロックの最大数である）を含み得る。いくつかの態様では、異なるＳＳブロックは、異なるようにビームフォーミングされ得る。ＳＳバーストセットは、図３Ｂに示されるように、Ｘミリ秒毎など、ワイヤレスノードによって周期的に送信され得る。いくつかの態様では、ＳＳバーストセットは、図３ＢにおいてＹミリ秒として示される、固定または動的な長さを有し得る。
【００４４】
[0053]図３Ｂに示されるＳＳバーストセットは、同期通信セットの一例であり、他の同期通信セットが、本明細書で説明される技法に関連して使用され得る。さらに、図３Ｂに示されるＳＳブロックは、同期通信の一例であり、他の同期通信が、本明細書で説明される技法に関連して使用され得る。
【００４５】
[0054]いくつかの態様では、ＳＳブロックは、ＰＳＳ、ＳＳＳ、ＰＢＣＨ、および／または他の同期信号（例えば、３次同期信号（ＴＳＳ））および／または同期チャネルを搬送するリソースを含む。いくつかの態様では、複数のＳＳブロックが、ＳＳバースト中に含まれ、ＰＳＳ、ＳＳＳ、および／またはＰＢＣＨは、ＳＳバーストの各ＳＳブロックにわたって同じであり得る。いくつかの態様では、単一のＳＳブロックが、ＳＳバースト中に含まれ得る。いくつかの態様では、ＳＳブロックは、長さが少なくとも４つのシンボル期間であり得、ここで、各シンボルは、ＰＳＳ（例えば、１つのシンボルを占有する）、ＳＳＳ（例えば、１つのシンボルを占有する）、および／またはＰＢＣＨ（例えば、２つのシンボルを占有する）のうちの１つまたは複数を搬送する。
【００４６】
[0055]いくつかの態様では、図３Ｂに示されるように、ＳＳブロックのシンボルは連続している。いくつかの態様では、ＳＳブロックのシンボルは、非連続である。同様に、いくつかの態様では、ＳＳバーストの１つまたは複数のＳＳブロックは、１つまたは複数のサブフレーム中の連続した無線リソース（例えば、連続したシンボル期間）において送信され得る。追加または代替として、ＳＳバーストの１つまたは複数のＳＳブロックは、非連続無線リソースにおいて送信され得る。
【００４７】
[0056]いくつかの態様では、ＳＳバーストは、バースト期間を有し得、これによって、ＳＳバーストのＳＳブロックは、バースト期間に従って、基地局によって送信される。換言すれば、ＳＳブロックは、各ＳＳバースト中に繰り返され得る。いくつかの態様では、ＳＳバーストセットは、バーストセット周期性を有し得、これによって、ＳＳバーストセットのＳＳバーストは、固定されたバーストセット周期性に従って、基地局によって送信される。換言すれば、ＳＳバーストは、各ＳＳバーストセット中に繰り返され得る。
【００４８】
[0057]基地局は、ある特定のサブフレーム中に物理ダウンリンク共有チャネル（ＰＤＳＣＨ）上でシステム情報ブロック（ＳＩＢ）などのシステム情報を送信し得る。基地局は、サブフレームのＣ個のシンボル期間中に物理ダウンリンク制御チャネル（ＰＤＣＣＨ）上で制御情報／データを送信し得、ここで、Ｂは、サブフレームごとに設定可能（configurable）であり得る。基地局は、各サブフレームの残りのシンボル期間中にＰＤＳＣＨ上でトラフィックデータおよび／または他のデータを送信し得る。
【００４９】
[0058]上記で示されたように、図３Ａおよび図３Ｂは、１つまたは複数の例として提供される。他の例は、図３Ａおよび図３Ｂに関して説明されたものとは異なり得る。
【００５０】
[0059]図４は、通常のサイクリックプレフィックスを有する、例となるサブフレームフォーマット４１０を示す。利用可能な時間周波数リソースは、複数のリソースブロックに区分され得る。各リソースブロックは、１つのスロットにおいてサブキャリアのセット（例えば、１２個のサブキャリア）をカバーし得、いくつかのリソース要素を含み得る。各リソース要素は、（例えば、時間において）１つのシンボル期間中に１つのサブキャリアをカバーし得、実数値または複素数値であり得る１つの変調シンボルを送るために使用され得る。いくつかの態様では、サブフレームフォーマット４１０は、本明細書で説明されるように、ＰＳＳ、ＳＳＳ、ＰＢＣＨ、および／または同様のものを搬送するＳＳブロックの送信のために使用され得る。
【００５１】
[0060]インターレース構造は、ある特定の電気通信システム（例えば、ＮＲ）におけるＦＤＤについてのダウンリンクおよびアップリンクの各々のために使用され得る。例えば、０〜Ｑ−１のインデックスをもつＱ個のインターレースが定義され得、ここで、Ｑは、４、６、８、１０、または何らかの他の値に等しくなり得る。各インターレースは、Ｑ個のフレーム分だけ間隔を置かれたサブフレームを含み得る。具体的には、インターレースｑは、サブフレームｑ、ｑ＋Ｑ、ｑ＋２Ｑなどを含み得、ここで、ｑ∈｛０，．．．，Ｑ−１｝である。
【００５２】
[0061]１つのＵＥが、複数のＢＳのカバレッジ内に位置し得る。これらのＢＳのうちの１つが、そのＵＥにサービス提供するために選択され得る。サービングＢＳは、受信信号強度、受信信号品質、経路損失、および／または同様のものなどの様々な基準に少なくとも部分的に基づいて選択され得る。受信信号品質は、信号対干渉プラス雑音比（ＳＩＮＲ）、または基準信号受信品質（ＲＳＲＱ）、または何らかの他の測定基準（metric）によって定量化され得る。ＵＥは、このＵＥが１つまたは複数の干渉するＢＳからの高い干渉を観測し得る支配的な干渉シナリオにおいて動作し得る。
【００５３】
[0062]本明細書で説明される例の態様が、ＮＲまたは５Ｇ技術に関連付けられ得る一方で、本開示の態様は、他のワイヤレス通信システムに適用可能であり得る。新無線（ＮＲ）は、新しいエアインターフェース（例えば、直交周波数分割多元接続（ＯＦＤＭＡ）ベースのエアインターフェース以外）または固定トランスポートレイヤ（例えば、インターネットプロトコル（ＩＰ）以外）に従って動作するように構成された無線機（radios）を参照し得る。態様では、ＮＲは、アップリンク上では、ＣＰを伴うＯＦＤＭ（本明細書では、サイクリックプレフィックスＯＦＤＭまたはＣＰ−ＯＦＤＭと呼ばれる）および／またはＳＣ−ＦＤＭを利用し得、ダウンリンク上では、ＣＰ−ＯＦＤＭを利用し得、および時分割複信（ＴＤＤ）を使用する半二重通信（half-duplex operation）のためのサポートを含む。態様では、ＮＲは、例えば、アップリンク上では、ＣＰを伴うＯＦＤＭ（本明細書では、ＣＰ−ＯＦＤＭと呼ばれる）および／または離散フーリエ変換拡散直交周波数分割多重化（ＤＦＴ−ｓ−ＯＦＤＭ）を利用し得、ダウンリンク上では、ＣＰ−ＯＦＤＭを利用し得、およびＴＤＤを使用する半二重通信のためのサポートを含む。ＮＲは、広帯域幅（例えば、８０メガヘルツ（ＭＨｚ）以上）を対象とした拡張モバイルブロードバンド（ｅＭＢＢ：Enhanced Mobile Broadband）サービス、高いキャリア周波数（例えば、６０ギガヘルツ（ＧＨｚ））を対象としたミリメートル波（ｍｍＷ）、後方互換性のないＭＴＣ技法を対象としたマッシブＭＴＣ（ｍＭＴＣ）、および／または超高信頼性低レイテンシ通信（ＵＲＬＬＣ：ultra reliable low latency communications）サービスを対象としたミッションクリティカルを含み得る。
【００５４】
[0063]ビームフォーミングがサポートされ得、ビーム方向が動的に構成され得る。プリコーディングを用いたＭＩＭＯ送信もまたサポートされ得る。ＤＬにおけるＭＩＭＯ構成は、ＵＥごとに最大２ストリームおよび最大８ストリームのマルチレイヤＤＬ送信を用いる、最大８個の送信アンテナをサポートし得る。ＵＥごとに最大２ストリームを用いるマルチレイヤ送信がサポートされ得る。複数のセルのアグリゲーションが、最大８個のサービングセルを用いてサポートされ得る。代替として、ＮＲは、ＯＦＤＭベースのインターフェース以外の異なるエアインターフェースをサポートし得る。ＮＲネットワークは、中央ユニットまたは分散型ユニットなどのエンティティを含み得る。
【００５５】
[0064]上記で示されたように、図４は、一例として提供される。他の例は、図４に関して説明されたものとは異なり得る。
【００５６】
[0065]チャネル状態情報（ＣＳＩ）は、チャネルまたは基準信号など、送信された信号に関するフィードバックを送信機に提供する。ＣＳＩの例は、チャネル品質インジケータ（ＣＱＩ）、プリコーディング行列インジケータ（ＰＭＩ）、プリコーディングタイプインジケータ（ＰＴＩ）、ランクインジケーション（ＲＩ）、および／または同様のものを含む。送信機は、ＣＳＩに少なくとも部分的に基づいて、送信レートを選択し得る。例えば、チャネルが低品質であることをＣＳＩが示すとき、送信機は、データが成功裏に配信される（delivered）ことを保証するために、より控えめな（conservative）またはロバストなレートを選択し得る。チャネルが高品質であることをＣＳＩが示すとき、送信機は、スループットを改善し、高品質チャネルを活用するために、より控えめでないまたはより高度な（例えば、より速い）レートを選択し得る。
【００５７】
[0066]マルチキャスト／ブロードキャストは、複数の異なる受信機にマルチキャストまたはブロードキャストされるワイヤレス通信を指す。マルチキャスト／ブロードキャスト通信の例は、マルチキャスト／ブロードキャスト単一周波数ネットワーク（ＭＢＳＦＮ）エリアを介したマルチメディアブロードキャスト／マルチキャストサービス（ＭＢＭＳ）、物理セルまたは仮想セル上でのシングルセルポイントツーマルチポイント（ＳＣ−ＰＴＭ）、およびシステムブロードキャスト情報を含む。
【００５８】
[0067]いくつかのマルチキャスト／ブロードキャスト設計では、いかなるＣＳＩフィードバックも、マルチキャスト／ブロードキャスト送信のためにサポートされないことがある。例えば、ネットワーク（例えば、ＢＳ１１０、ネットワークコントローラ１３０など）は、（例えば、ターゲットセルまたはターゲットエリアにおけるＵＥのエッジカバレッジを保証するために）ターゲットセルまたはターゲットエリアにおける全てのＵＥのために、マルチキャスト／ブロードキャスト送信レートを控えめに選択し得る。しかしながら、ＭＢＳＦＮ／ＳＣ−ＰＴＭエリアまたはセル展開に関して変更があるとき、レートは、再評価および再選択される必要があり得、したがって、ネットワークのリソースを使用する。加えて、ＭＢＳＦＮ／ＳＣ−ＰＴＭエリアまたはセルにおける全てのＵＥが特定のマルチキャスト／ブロードキャスト送信をアクティブに受信できるとは限らず、それによって、いくつかのケースでは、レート決定を不正確にする。さらに、エッジカバレッジを保証するように構成されたマルチキャスト／ブロードキャスト情報を送信することは、セル中心の近くにあるＵＥに関して、（例えば、レートがそのようなＵＥにとって不必要に控えめであり得るので）エアインターフェースの非効率性をもたらし得る。
【００５９】
[0068]マルチキャスト／ブロードキャスト展開（例えば、ＳＣ−ＰＴＭ）におけるＣＳＩフィードバックのための１つのアプローチでは、ＵＥは、ＢＳにＣＳＩフィードバックを提供するために、接続モードに入り得る。例えば、ＢＳは、ＵＥが接続モードになることを引き起こすために、測定しきい値を識別する情報などの情報を提供し得る。測定値が測定しきい値を満たす場合、ＵＥは、ＣＳＩを送信するために接続モードに入り得る。しかしながら、接続モードに入ることは、ＵＥおよびＢＳの著しいリソースを使用し、ＣＳＩフィードバックを提供することに関連付けられたレイテンシを増大させる。
【００６０】
[0069]本明細書で説明されるいくつかの技法および装置は、ＵＥが接続モードにあることを必要とせずに、マルチキャスト／ブロードキャスト通信のためのＣＳＩフィードバックを提供し得る。例えば、本明細書で説明されるいくつかの技法および装置は、ＣＳＩフィードバックを提供するために、ランダムアクセスメカニズムを使用し得る。さらに、本明細書で説明されるいくつかの技法および装置は、システム情報のためのＣＳＩフィードバックを提供し得る。いくつかの態様では、複数の異なるＵＥが、マルチキャスト／ブロードキャスト通信のためのＣＳＩフィードバックを提供し、それによって、基地局におけるより正確なチャネル推定を可能にし得る。このようにして、さもなければＣＳＩフィードバックを提供するために接続状態に入るために使用されたであろうプロセッサおよびエアインターフェースリソースが節約され得る。さらに、マルチキャスト／ブロードキャスト通信のためのレート割振りの効率が、カバレッジエリアにおける全てのＵＥに対してレート割振りを（例えば、無分別に、控えめになど）実行することと比較して、改善され得る。
【００６１】
[0070]図５は、本開示の様々な態様による、マルチキャスト／ブロードキャスト通信のためのランダムアクセスチャネルリソースに少なくとも部分的に基づいて、ＣＳＩフィードバックを提供する例５００を例示する図である。
【００６２】
[0071]図５において、および参照番号５０５によって示されるように、ＢＳ１１０は、ランダムアクセスチャネル（ＲＡＣＨ）リソースを使用してＣＳＩフィードバックをシグナリングするための構成を決定し得る。構成は、マルチキャスト／ブロードキャスト通信のためのＣＳＩフィードバックを示すために使用されるべきＲＡＣＨリソースのセットを識別し得る。本明細書で使用される場合、ＲＡＣＨリソースは、物理ランダムアクセス（ＰＲＡＣＨ）チャネルリソースおよび／または同様のものなどの、１つまたは複数のランダムアクセスチャネルリソースを指し得る。マルチキャスト／ブロードキャスト通信を受信するＵＥ１２０は、提供されるべきＣＳＩフィードバックに対応する、ＲＡＣＨリソースのセットのうちの特定のＲＡＣＨリソース上で信号を提供し得る。いくつかの態様では、構成は、ＣＳＩフィードバック状態へのＲＡＣＨリソースのマッピングを識別し得る。いくつかの態様では、構成は、その上でＣＳＩフィードバックを提供するためのＲＡＣＨリソースのセットを識別し得る。ＲＡＣＨリソースのセットを使用してＣＳＩフィードバックを提供するようにＵＥ１２０を構成することによって、ＵＥ１２０は、接続モードに入る必要がなく、それによって、ＵＥ１２０およびＢＳ１１０のプロセッサおよびエアインターフェースリソースを節約する。
【００６３】
[0072]参照番号５１０によって示されるように、ＢＳ１１０は、構成を識別する情報をＵＥ１２０に提供し得る。ここで、構成は、４つのＲＡＣＨリソース：ＲＡＣＨリソース１、ＲＡＣＨリソース２、ＲＡＣＨリソース３、およびＲＡＣＨリソース４を識別する。いくつかの態様では、ＲＡＣＨリソースは、時間、周波数、プリアンブル、コーディング方式、および／または同様のものに少なくとも部分的に基づいて識別され得る。いくつかの態様では、異なるＲＡＣＨリソースが、異なるマルチキャスト／ブロードキャスト通信タイプに関連付けられ得る。例えば、ここでは、ＲＡＣＨリソース１およびＲＡＣＨリソース２は、システム情報（ＳＩ）ＣＳＩに関連付けられ、ＲＡＣＨリソース３およびＲＡＣＨリソース４は、ＳＣ−ＰＴＭ  ＣＳＩに関連付けられる。いくつかの態様では、ＵＥ１２０は、異なるＤＬ信号に少なくとも部分的に基づいて、異なるサービスのためのＣＳＩフィードバックをさらに決定し得る。例えば、ＵＥ１２０は、同期信号ブロック（ＳＳＢ）またはＣＳＩ基準信号（ＣＳＩ−ＲＳ）に少なくとも部分的に基づいて、ＳＩのためのＣＳＩフィードバックを決定し得、一方、ＵＥ１２０は、ＳＣ−ＰＴＭ送信のための基準信号（ＲＳ）に少なくとも部分的に基づいて、ＳＣ−ＰＴＭのためのＣＳＩを決定し得、さらに、ＵＥ１２０は、ＭＢＭＳ送信のためのＲＳに基づいて、ＭＢＭＳのためのＣＳＩを決定し得る。他の組合せも企図され、上記は単に例として提供される。
【００６４】
[0073]さらに示されるように、異なるＲＡＣＨリソースが、異なるＣＳＩフィードバックを示すために使用され得る。例えば、ＲＡＣＨリソース１は、低いＳＩ  ＣＳＩフィードバック（例えば、しきい値を満たさないＣＳＩ値）を示すために使用され、ＲＡＣＨリソース２は、高いＳＩ  ＣＳＩフィードバック（例えば、しきい値を満たすＣＳＩフィードバック値）を示すために使用される。同様に、ＲＡＣＨリソース３は、低いＳＣ−ＰＴＭ  ＣＳＩフィードバック（例えば、しきい値を満たさないＣＳＩ値）を示すために使用され、ＲＡＣＨリソース４は、高いＳＣ−ＰＴＭ  ＣＳＩフィードバック（例えば、しきい値を満たすＣＳＩフィードバック値）を示すために使用される。本明細書で説明される技法および装置は、２つのレベルのＣＳＩフィードバックを伴うものに限定されず、１つまたは複数のレベルのＣＳＩフィードバックのための１つまたは複数のＲＡＣＨリソースの任意の構成が本明細書で企図される。
【００６５】
[0074]参照番号５１５によって示されるように、ＵＥ１２０は、マルチキャスト／ブロードキャスト通信のためのＣＳＩフィードバックを決定し得る。例えば、ＵＥ１２０は、ＵＥ１２０のマルチキャスト／ブロードキャスト通信のためのＣＱＩ、ＰＭＩ、ＰＴＩ、ＲＩ、および／または同様のものを決定し得る。ここで、ＵＥ１２０は、マルチキャスト／ブロードキャスト通信がＳＣ−ＰＴＭ信号であり、低いＣＳＩ値に関連付けられていると決定し得る。いくつかの態様では、ＵＥ１２０は、複数の異なるマルチキャスト／ブロードキャスト通信のためのＣＳＩフィードバックを決定し得る。例えば、ＵＥ１２０は、ＳＩのための第１のＣＳＩフィードバック値、ＳＣ−ＰＴＭのための第２のＣＳＩフィードバック値、ＭＢＭＳのための第３のＣＳＩフィードバック値、および／または同様のものを決定し得る。
【００６６】
[0075]参照番号５２０によって示されるように、ＵＥ１２０は、特定のＲＡＣＨリソースを使用して、構成に少なくとも部分的に基づいて信号を送信し得る。参照番号５２５によって示されるように、ＵＥ１２０は、ＲＡＣＨリソース３を使用して信号を提供し得る。いくつかの態様では、信号は任意の波形を含み得る。例えば、信号は、４ステップＲＡＣＨプロセスのプリアンブル、４ステップＲＡＣＨプロセスのペイロード、２ステップＲＡＣＨプロセスの組み合わされたプリアンブルおよびペイロード、および／または同様のものを含み得る。ＲＡＣＨリソース３を使用して信号を送信することによって、ＵＥ１２０は、ＢＳ１１０に、および接続モードに入ることなしに、ＳＣ−ＰＴＭ信号が低いＣＳＩ値に関連付けられていることを示し得る。ＵＥ１２０が（例えば、同じマルチキャスト／ブロードキャスト通信のための、または異なるマルチキャスト／ブロードキャスト通信のための）複数の異なるＣＳＩフィードバック値を決定するケースでは、ＵＥ１２０は、構成に従って、複数の異なるＲＡＣＨリソース上で信号を送信し得る。このようにして、ＵＥ１２０は、ＲＡＣＨリソースを使用して複数の異なるマルチキャスト／ブロードキャスト通信のためのＣＳＩフィードバックをシグナリングし、それによって、ＣＳＩフィードバックを提供するために接続モードに入るために使用されたであろうリソースを節約する。
【００６７】
[0076]参照番号５３０によって示されるように、ＢＳ１１０は、特定のＲＡＣＨリソース上で受信された信号に少なくとも部分的に基づいて、ＣＳＩフィードバックを決定し得る。例えば、ＢＳ１１０は、ＵＥ１２０のためのＣＱＩ、ＰＭＩ、ＰＴＩ、ＲＩ、および／または同様のものを決定し得る。いくつかの態様では、ＢＳ１１０は、ＣＳＩフィードバックに少なくとも部分的に基づいて、マルチキャスト／ブロードキャスト通信のためのレート（例えば、コーディングレート、変調方式、変調およびコーディング方式など）を決定し得る。いくつかの態様では、ＢＳ１１０は、このレートを使用してマルチキャスト／ブロードキャスト通信を送信し得る。このようにして、ＢＳ１１０は、マルチキャスト／ブロードキャスト通信を受信するために、ＵＥ１２０からのＣＳＩフィードバックに少なくとも部分的に基づいてレートを選択し、それによって、レート選択の効率を改善し、接続モードを確立することに関連付けられたリソース使用を低減させる。いくつかの態様では、ＢＳ１１０は、以下で図６に関連してより詳細に説明されるように、複数の異なるＵＥ１２０のためのＣＳＩフィードバックを決定し得る。
【００６８】
[0077]上記で示されたように、図５は、一例として提供される。他の例は、図５に関して説明されたものとは異なり得る。
【００６９】
[0078]図６は、本開示の様々な態様による、マルチキャスト／ブロードキャスト通信のためのランダムアクセスチャネルリソースに少なくとも部分的に基づいて、複数のＵＥのためのＣＳＩフィードバックを提供する例６００を例示する図である。示されるように、図６は、ＵＥ１〜８（例えば、ＵＥ１２０）が、ＲＡＣＨリソース１および２を使用して、ＭＢＭＳマルチキャスト／ブロードキャスト通信のためのＣＳＩフィードバックを提供する例である。さらに示されるように、ＲＡＣＨリソース１は、第１のＣＳＩレベル（例えば、ＣＳＩレベル１）に関連付けられ得、ＲＡＣＨリソース２は、第２のＣＳＩレベル（例えば、ＣＳＩレベル２）に関連付けられ得る。
【００７０】
[0079]さらに示されるように、ＵＥ１〜４は、ＲＡＣＨリソース１を使用してＣＳＩフィードバックを提供し、ＵＥ５〜８は、ＲＡＣＨリソース２を使用してＣＳＩフィードバックを提供する。換言すれば、複数の異なるＵＥが、単一のＲＡＣＨリソースを使用してフィードバックを提供し得る。いくつかの態様では、ＢＳ（例えば、ＢＳ１１０）は、単一のＲＡＣＨリソース上で受信された信号に少なくとも部分的に基づいて、複数の異なるＵＥのためのＣＳＩフィードバックを決定し得る。例えば、ＢＳは、単一のＲＡＣＨリソース上の信号強度、単一のＲＡＣＨリソース上で送信しているＵＥの数、および／または同様のものに少なくとも部分的に基づいて、アグリゲートＣＳＩフィードバック値を決定し得る。いくつかの態様では、ＢＳは、複数の異なるＵＥのためのＣＳＩフィードバックに少なくとも部分的に基づいて、レートを決定し得る。例えば、ＢＳは、ＵＥ１〜８についての特定のサービスレベルを維持しながら、ＵＥ１〜８に関して最も高いスループットを達成するように、レートを決定し得る。いくつかの態様では、ＢＳは、このレートを使用してマルチキャスト／ブロードキャスト通信を送信し得る。このようにして、ＢＳは、ＵＥからの非接続モードＣＳＩフィードバックに少なくとも部分的に基づいて、ＵＥとのマルチキャスト／ブロードキャスト通信のためのレートまたは他のリソースを割り振る効率を改善し得る。
【００７１】
[0080]上記で示されたように、図６は、一例として提供される。他の例は、図６に関して説明されたものとは異なり得る。
【００７２】
[0081]図７は、本開示の様々な態様による、例えば、ＵＥによって実行される、例となるプロセス７００を例示する図である。例となるプロセス７００は、ＵＥ（例えば、ＵＥ１２０）が、マルチキャスト／ブロードキャスト通信のためのランダムアクセスチャネルリソースに少なくとも部分的に基づいて、ＣＳＩフィードバックを実行する例である。
【００７３】
[0082]図７に示されるように、いくつかの態様では、プロセス７００は、マルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を受信すること（ブロック７１０）を含み得る。例えば、ＵＥは、（例えば、アンテナ２５２、ＤＥＭＯＤ２５４、ＭＩＭＯ検出器２５６、受信プロセッサ２５８、コントローラ／プロセッサ２８０、および／または同様のものを使用して）ＢＳ（例えば、ＢＳ１１０）から構成情報を受信し得る。構成情報は、ＣＳＩフィードバックのために使用されるべきＲＡＣＨリソースを識別し得る。ＣＳＩフィードバックは、マルチキャスト／ブロードキャスト信号などのマルチキャスト／ブロードキャスト通信に関して、ＵＥおよび／または他のＵＥによって提供され得る。
【００７４】
[0083]図７に示されるように、いくつかの態様では、プロセス７００は、少なくとも１つのランダムアクセスチャネルリソースを使用して、ＣＳＩフィードバックに少なくとも部分的に基づいて信号を送信すること（ブロック７２０）を含み得る。例えば、ＵＥは、（例えば、コントローラ／プロセッサ２８０、送信プロセッサ２６４、ＴＸ  ＭＩＭＯプロセッサ２６６、ＭＯＤ２５４、アンテナ２５２、および／または同様のものを使用して）少なくとも１つのＲＡＣＨリソースを使用して信号を送信し得る。いくつかの態様では、ＵＥは、ＣＳＩフィードバックを決定することに少なくとも部分的に基づいて、信号を送信し得る。例えば、ＵＥは、構成情報に従って、ＣＳＩフィードバックが少なくとも１つのＲＡＣＨリソースに関連付けられていることに少なくとも部分的に基づいて、少なくとも１つのＲＡＣＨリソースを使用して信号を送信し得る。
【００７５】
[0084]プロセス７００は、以下で説明される任意の単一の態様または複数の態様の任意の組合せなどの、および／または、本明細書の他の箇所で説明される１つまたは複数の他のプロセスに関連した、追加の態様を含み得る。
【００７６】
[0085]いくつかの態様では、少なくとも１つのランダムアクセスチャネルリソースは、物理ランダムアクセスチャネルリソースを含む。いくつかの態様では、構成情報は、少なくとも１つのランダムアクセスチャネルリソースに関連付けられた時間、周波数、またはプリアンブルのうちの少なくとも１つを識別する。いくつかの態様では、少なくとも１つのランダムアクセスチャネルリソースは、構成情報によって識別される複数のランダムアクセスチャネルリソースのうちの１つである。ＵＥは、ＣＳＩフィードバックに少なくとも部分的に基づいて、複数のランダムアクセスチャネルリソースから少なくとも１つのランダムアクセスチャネルリソースを選択し得る。
【００７７】
[0086]いくつかの態様では、複数のランダムアクセスチャネルリソースは、それぞれのＣＳＩフィードバック状態に関連付けられ、少なくとも１つのランダムアクセスチャネルリソースは、少なくとも１つのランダムアクセスチャネルリソースに関連付けられたＣＳＩフィードバック状態に少なくとも部分的に基づいて選択される。いくつかの態様では、少なくとも１つのランダムアクセスチャネルリソースは、第１のタイプの送信に関するＣＳＩフィードバックのために使用されるべき第１のランダムアクセスチャネルリソースであり、構成情報は、第２のタイプの送信に関するＣＳＩフィードバックのために使用されるべき第２のランダムアクセスチャネルリソースを識別する。
【００７８】
[0087]いくつかの態様では、構成情報は、システム情報または制御情報中で受信される。いくつかの態様では、ＵＥは、マルチキャスト／ブロードキャスト信号に関連付けられた基準信号に少なくとも部分的に基づいて、ＣＳＩフィードバックを決定し得る。いくつかの態様では、信号は、ＵＥが接続モードに入ることなしに送信される。いくつかの態様では、信号は、ＵＥがアイドルモードにある間に送信される。いくつかの態様では、信号は、ＵＥがアイドルモードから接続モードに遷移することなしに送信される。いくつかの態様では、信号は、ランダムアクセスプリアンブルを備える。いくつかの態様では、信号は、ランダムアクセスペイロードを備える。いくつかの態様では、信号は、単一のメッセージ中にランダムアクセスプリアンブルおよびペイロードを備える。
【００７９】
[0088]図７は、プロセス７００の例となるブロックを示すが、いくつかの態様では、プロセス７００は、図７に図示されるものと比べて、異なって配置されたブロック、異なるブロック、より少ないブロック、または追加のブロックを含み得る。追加または代替として、プロセス７００の２つ以上のブロックが並列に実行され得る。
【００８０】
[0089]図８は、本開示の様々な態様による、例えば、基地局によって実行される、例となるプロセス８００を例示する図である。例となるプロセス８００は、基地局（例えば、ＢＳ１１０）が、マルチキャスト／ブロードキャスト通信のためのランダムアクセスチャネルリソースに少なくとも部分的に基づいて、ＣＳＩフィードバックの決定を実行する例である。
【００８１】
[0090]図８に示されるように、いくつかの態様では、プロセス８００は、複数のユーザ機器（ＵＥ）に提供されるべきマルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を送信すること（ブロック８１０）を含み得る。例えば、基地局は、（例えば、コントローラ／プロセッサ２４０、送信プロセッサ２２０、ＴＸ  ＭＩＭＯプロセッサ２３０、ＭＯＤ２３２、アンテナ２３４、および／または同様のものを使用して）構成情報を送信し得る。いくつかの態様では、基地局は、構成情報を決定し得る。構成情報は、マルチキャスト／ブロードキャスト信号に関するＣＳＩフィードバックのために使用されるべき少なくとも１つのＲＡＣＨリソースを識別し得る。マルチキャストブロードキャスト信号は、複数のＵＥ（例えば、ＵＥ１２０）に提供され得る。例えば、ＵＥは、少なくとも１つのＲＡＣＨリソースを使用してＣＳＩフィードバックを提供し得る。
【００８２】
[0091]図８に示されるように、いくつかの態様では、プロセス８００は、少なくとも１つのランダムアクセスチャネルリソース上で受信された信号に少なくとも部分的に基づいて、ＣＳＩフィードバックを決定すること（ブロック８２０）を含み得る。例えば、基地局は、（例えば、コントローラ／プロセッサ２４０および／または同様のものを使用して）少なくとも１つのＲＡＣＨリソース上で受信された信号に少なくとも部分的に基づいて、ＣＳＩフィードバックを決定し得る。いくつかの態様では、基地局は、構成情報に少なくとも部分的に基づいて、ＣＳＩフィードバックを決定し得る。いくつかの態様では、基地局は、複数のＵＥまたは複数のＵＥのサブセットなどの、複数のＵＥのためのＣＳＩフィードバックを決定し得る。
【００８３】
[0092]プロセス８００は、以下で説明される任意の単一の態様または複数の態様の任意の組合せなどの、および／または、本明細書の他の箇所で説明される１つまたは複数の他のプロセスに関連した、追加の態様を含み得る。
【００８４】
[0093]いくつかの態様では、少なくとも１つのランダムアクセスチャネルリソースは、物理ランダムアクセスチャネルリソースを含む。いくつかの態様では、構成情報は、少なくとも１つのランダムアクセスチャネルリソースに関連付けられた時間、周波数、またはプリアンブルのうちの少なくとも１つを識別する。いくつかの態様では、少なくとも１つのランダムアクセスチャネルリソースは、構成情報によって識別される複数のランダムアクセスチャネルリソースのうちの１つであり、ＣＳＩフィードバックは、複数のランダムアクセスチャネルリソースのうちのどのランダムアクセスチャネルリソースが信号を含むかに少なくとも部分的に基づいて決定される。いくつかの態様では、複数のランダムアクセスチャネルリソースは、それぞれのＣＳＩフィードバック状態に関連付けられる。
【００８５】
[0094]いくつかの態様では、少なくとも１つのランダムアクセスチャネルリソースは、第１のタイプの送信に関するＣＳＩフィードバックのために使用されるべき第１のランダムアクセスチャネルリソースであり、構成情報は、第２のタイプの送信に関するＣＳＩフィードバックのために使用されるべき第２のランダムアクセスチャネルリソースを識別する。いくつかの態様では、ＣＳＩフィードバックは、複数のＵＥのうちのＵＥのグループのためのＣＳＩフィードバックを表す。いくつかの態様では、構成情報は、システム情報または制御情報中で送信される。いくつかの態様では、ＣＳＩフィードバックは、信号の強度または電力に少なくとも部分的に基づいて決定される。いくつかの態様では、基地局は、ＣＳＩフィードバックに少なくとも部分的に基づいて、変調またはコーディング構成を決定し得る。いくつかの態様では、信号は、複数のＵＥのうちの複数の異なるＵＥによって生成される。いくつかの態様では、信号は、アイドルモードにある、複数のＵＥのうちの複数のＵＥによって生成される。いくつかの態様では、信号は、単一のメッセージ中にランダムアクセスプリアンブルおよびペイロードを備える。
【００８６】
[0095]図８は、プロセス８００の例となるブロックを示すが、いくつかの態様では、プロセス８００は、図８に図示されるものと比べて、異なって配置されたブロック、異なるブロック、より少ないブロック、または追加のブロックを含み得る。追加または代替として、プロセス８００の２つ以上のブロックが並列に実行され得る。
【００８７】
[0096]前述の開示は、例示および説明を提供するが、網羅的であること、または態様を開示されたとおりの形態に限定することを意図したものではない。修正および変形が、上記の開示に照らして行われ得るか、または態様の実施から得られ得る。
【００８８】
[0097]本明細書で使用される場合、コンポーネントという用語は、ハードウェア、ファームウェア、またはハードウェアとソフトウェアとの組合せとして、広く解釈されることが意図される。本明細書で使用される場合、プロセッサは、ハードウェア、ファームウェア、またはハードウェアとソフトウェアとの組合せでインプリメントされる。
【００８９】
[0098]いくつかの態様がしきい値に関連して本明細書で説明された。本明細書で使用される場合、しきい値を満たすことは、値が、しきい値より大きいこと、しきい値以上であること、しきい値未満であること、しきい値以下であること、しきい値に等しいこと、しきい値に等しくないこと、および／または同様のことを指し得る。
【００９０】
[0099]本明細書で説明されたシステムおよび／または方法が、ハードウェア、ファームウェア、またはハードウェアとソフトウェアとの組合せの異なる形態でインプリメントされ得ることは明らかであろう。これらのシステムおよび／または方法をインプリメントするために使用される実際の専用制御ハードウェアまたはソフトウェアコードは、態様を限定しない。したがって、システムおよび／または方法の動作および挙動は、特定のソフトウェアコードを参照することなく本明細書で説明されたが、ソフトウェアおよびハードウェアは、本明細書の説明に少なくとも部分的に基づいて、システムおよび／または方法をインプリメントするように設計され得ることが理解される。
【００９１】
[00100]特徴の特定の組合せが特許請求の範囲に記載されおよび／または本明細書に開示されているが、これらの組合せは、様々な態様の開示を限定するようには意図されない。実際、これらの特徴の多くは、特許請求の範囲に具体的に記載されていないおよび／または本明細書に開示されていない方法で組み合わされ得る。以下に列挙される各従属請求項は、１つの請求項のみに直接的に従属し得るが、様々な態様の開示は、各従属請求項を、請求項のセット中の全ての他の請求項と組み合わせにおいて含む。アイテムの列挙「のうちの少なくとも１つ（at least one of）」を参照する表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
【００９２】
[00101]本明細書で使用されたいかなる要素、動作、または命令も、そうであると明確に説明されていない限り、重要または不可欠であると解釈されるべきではない。また、本明細書で使用される場合、冠詞「ａ」および「ａｎ」は、１つまたは複数のアイテムを含むように意図され、「１つまたは複数」と交換可能に使用され得る。さらに、本明細書で使用される場合、「セット」および「グループ」という用語は、１つまたは複数のアイテム（例えば、関連するアイテム、関連のないアイテム、関連するアイテムと関連のないアイテムとの組合せ、および／または同様のもの）を含むように意図され、「１つまたは複数」と交換可能に使用され得る。１つのアイテムのみが意図される場合、「１つのみ」という用語または同様の文言が使用される。また、本明細書で使用される場合、「有する（has）」、「有する（have）」、「有している（having）」という用語、および／または同様のものは、オープンエンド型（open-ended）の用語であるように意図される。さらに、「〜に基づいて」という表現は、別段に明記されていない限り、「〜に少なくとも部分的に基づいて」を意味するように意図される。
【図１】
2021510994.tif 000003
【図２】
2021510994.tif 000004
【図３Ａ】
2021510994.tif 000005
【図３Ｂ】
2021510994.tif 000006
【図４】
2021510994.tif 000007
【図５】
2021510994.tif 000008
【図６】
2021510994.tif 000009
【図７】
2021510994.tif 000010
【図８】
2021510994.tif 000011
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信の方法であって、
マルチキャストまたはブロードキャスト（マルチキャスト／ブロードキャスト）信号に関するチャネル状態情報（ＣＳＩ）フィードバックを提供するために前記ＵＥを含む複数のＵＥによって使用可能な複数のランダムアクセスチャネルリソースを識別する構成情報を、基地局から受信することと、
前記基地局から、前記マルチキャスト／ブロードキャスト信号を受信することと、
前記マルチキャスト／ブロードキャスト信号の前記受信に基づいてＣＳＩフィードバックを生成することと、
前記ＣＳＩフィードバックの状態またはタイプの少なくとも１つを決定することと、
前記複数のランダムアクセスチャネルリソースから、前記ＣＳＩフィードバックの前記状態または前記タイプに基づいて少なくとも１つのランダムアクセスチャネルリソースを選択することと、
前記少なくとも１つのランダムアクセスチャネルリソースを使用して、前記ＣＳＩフィードバックの前記状態または前記タイプに少なくとも部分的に基づいて、前記ＣＳＩフィードバックを示す信号を、無線リソース制御（ＲＲＣ）接続モードに移行することなくＲＲＣアイドルモードにある間に前記基地局に送信することと、前記少なくとも１つのランダムアクセスチャネルリソースの前記使用は、前記基地局に前記ＣＳＩフィードバックの前記状態または前記タイプを示す、
を備える方法。
【請求項２】
前記少なくとも１つのランダムアクセスチャネルリソースは、物理ランダムアクセスチャネルリソースを含む、請求項１に記載の方法。
【請求項３】
前記構成情報は、前記少なくとも１つのランダムアクセスチャネルリソースに関連付けられた時間、周波数、またはプリアンブルのうちの少なくとも１つを識別する、請求項１に記載の方法。
【請求項４】
前記構成情報は、システム情報または制御情報中で受信される、請求項１に記載の方法。
【請求項５】
前記マルチキャスト／ブロードキャスト信号に関連付けられた基準信号に少なくとも部分的に基づいて、前記ＣＳＩフィードバックを決定すること
をさらに備える、請求項１に記載の方法。
【請求項６】
前記信号は、ランダムアクセスプリアンブルを備える、請求項１に記載の方法。
【請求項７】
前記信号は、ランダムアクセスペイロードを備える、請求項１に記載の方法。
【請求項８】
前記信号は、単一のメッセージ中にランダムアクセスプリアンブルおよびペイロードを備える、請求項１に記載の方法。
【請求項９】
前記ＣＳＩフィードバックの前記状態または前記タイプに基づいて前記少なくとも１つのランダムアクセスチャネルリソースを前記選択することは、
前記構成に基づいて、前記複数のランダムアクセスチャネルリソースのうちのそれぞれのランダムアクセスチャネルリソースへのＣＳＩフィードバックの複数の状態またはタイプのマッピングを決定することを備え、前記少なくとも１つのランダムアクセスチャネルリソースを前記選択することは、前記ＣＳＩフィードバックの前記状態または前記タイプと前記マッピングとに基づいて前記少なくとも１つのランダムアクセスチャネルリソースを識別することを備える、請求項１に記載の方法。
【請求項１０】
前記マルチキャスト／ブロードキャスト信号は、システム情報または基準信号を含み、前記ＣＳＩフィードバックの前記タイプは、前記ＣＳＩフィードバックが前記システム情報に基づくか前記基準信号に基づくかに基づいて決定される、請求項１に記載の方法。
【請求項１１】
前記システム情報は、同期信号ブロックまたはＣＳＩ基準信号を含み、前記ＣＳＩフィードバックの前記タイプは、前記ＣＳＩフィードバックが前記同期信号ブロックに基づくか前記ＣＳＩ基準信号に基づくかに基づいて決定される、請求項１０に記載の方法。
【請求項１２】
前記基準信号は、シングルセルポイントツーマルチポイント送信のための基準信号またはマルチメディアブロードキャスト／マルチキャストサービス送信のための基準信号であり、前記ＣＳＩフィードバックの前記タイプは、前記ＣＳＩフィードバックが、シングルセルポイントツーマルチポイント送信のための前記基準信号に基づくかマルチメディアブロードキャスト／マルチキャストサービス送信のための前記基準信号に基づくかに基づいて決定される、請求項１０に記載の方法。
【請求項１３】
前記ＣＳＩフィードバックの前記状態は、少なくとも１つのＣＳＩ値がしきい値を満たすか前記しきい値を満たさないかを示す、請求項１に記載の方法。
【請求項１４】
前記少なくとも１つのランダムアクセスチャネルリソースを前記選択することは、前記ＣＳＩフィードバックの前記状態および前記タイプの両方に基づく、請求項１に記載の方法。
【請求項１５】
基地局（ＢＳ）によって実行されるワイヤレス通信の方法であって、
複数のユーザ機器（ＵＥ）に送信されるべきマルチキャストまたはブロードキャスト（マルチキャスト／ブロードキャスト）信号に関するチャネル状態情報（ＣＳＩ）フィードバックを提供するために前記ＵＥを含む複数のＵＥによって使用可能な複数のランダムアクセスチャネルリソースを識別する構成情報を送信することと、
前記マルチキャスト／ブロードキャスト信号を前記複数のＵＥに送信することと、
前記マルチキャスト／ブロードキャスト信号に関連付けられたＣＳＩフィードバックを示す信号を、前記少なくとも１つのＵＥが無線リソース制御（ＲＲＣ）アイドルモードにある間に前記複数のＵＥのうちの少なくとも１つのＵＥから受信することと、前記信号は、前記複数のランダムアクセスチャネルリソースのうちの少なくとも１つのランダムアクセスチャネルリソース上で受信され、前記少なくとも１つのランダムアクセスチャネルリソース上で前記信号を前記受信することは、前記ＣＳＩフィードバックの状態またはタイプを示し、
前記少なくとも１つのランダムアクセスチャネルリソースによって示されたＣＳＩフィードバックの前記状態または前記タイプに少なくとも部分的に基づいて、前記ＣＳＩフィードバックを解釈することと
を備える方法。
【請求項１６】
前記少なくとも１つのランダムアクセスチャネルリソースは、物理ランダムアクセスチャネルリソースを含む、請求項１５に記載の方法。
【請求項１７】
前記構成情報は、前記少なくとも１つのランダムアクセスチャネルリソースに関連付けられた時間、周波数、またはプリアンブルのうちの少なくとも１つを識別する、請求項１５に記載の方法。
【請求項１８】
前記ＣＳＩフィードバックは、前記複数のＵＥのうちのＵＥのグループのためのＣＳＩフィードバックを表す、請求項１５に記載の方法。
【請求項１９】
前記ＣＳＩフィードバックは、前記信号の強度または電力に少なくとも部分的に基づいて決定される、請求項１５に記載の方法。
【請求項２０】
前記ＣＳＩフィードバックに少なくとも部分的に基づいて、変調またはコーディング構成を決定すること
をさらに備える、請求項１５に記載の方法。
【請求項２１】
前記信号は、前記複数のＵＥのうちの複数の異なるＵＥによって生成される、請求項１５に記載の方法。
【請求項２２】
前記信号は、アイドルモードにある、前記複数のＵＥのうちの複数のＵＥによって生成される、請求項１５に記載の方法。
【請求項２３】
前記信号は、
ランダムアクセスプリアンブル、
ランダムアクセスペイロード、または
単一のメッセージ中のランダムアクセスプリアンブルおよびペイロード
のうちの少なくとも１つを備える、請求項１５に記載の方法。
【請求項２４】
前記ＣＳＩフィードバックの前記状態または前記タイプに基づいて前記ＣＳＩフィードバックを前記解釈することは、
前記構成に基づいて、前記複数のランダムアクセスチャネルリソースのうちのそれぞれのランダムアクセスチャネルリソースへのＣＳＩフィードバックの複数の状態またはタイプのマッピングを決定することを備え、前記ＣＳＩフィードバックを前記解釈することは、前記少なくとも１つのランダムアクセスチャネルリソースのロケーションと前記マッピングとに基づいて前記ＣＳＩフィードバックの前記状態または前記タイプを識別することを備える、請求項１５に記載の方法。
【請求項２５】
前記マルチキャスト／ブロードキャスト信号は、システム情報または基準信号を含み、前記ＣＳＩフィードバックの前記タイプは、前記ＣＳＩフィードバックが前記システム情報に基づくか前記基準信号に基づくかを示す、請求項１５に記載の方法。
【請求項２６】
前記システム情報は、同期信号ブロックまたはＣＳＩ基準信号を含み、前記ＣＳＩフィードバックの前記タイプは、前記ＣＳＩフィードバックが前記同期信号ブロックに基づくか前記ＣＳＩ基準信号に基づくかを示す、請求項２５に記載の方法。
【請求項２７】
前記基準信号は、シングルセルポイントツーマルチポイント送信のための基準信号またはマルチメディアブロードキャスト／マルチキャストサービス送信のための基準信号であり、前記ＣＳＩフィードバックの前記タイプは、前記ＣＳＩフィードバックが、シングルセルポイントツーマルチポイント送信のための前記基準信号に基づくかマルチメディアブロードキャスト／マルチキャストサービス送信のための前記基準信号に基づくかを示す、請求項２５に記載の方法。
【請求項２８】
前記ＣＳＩフィードバックの前記状態は、少なくとも１つのＣＳＩ値がしきい値を満たすか前記しきい値を満たさないかを示す、請求項１５に記載の方法。
【請求項２９】
前記少なくとも１つのランダムアクセスチャネルリソースは、前記ＣＳＩフィードバックの前記状態および前記タイプの両方を示す、請求項１５に記載の方法。
【請求項３０】
ワイヤレス通信のためのユーザ機器（ＵＥ）であって、
メモリと、
前記メモリに結合された１つまたは複数のプロセッサと
を備え、前記メモリおよび前記１つまたは複数のプロセッサは、
マルチキャストまたはブロードキャスト（マルチキャスト／ブロードキャスト）信号に関するチャネル状態情報（ＣＳＩ）フィードバックを提供するために前記ＵＥを含む複数のＵＥによって使用可能な複数のランダムアクセスチャネルリソースを識別する構成情報を、基地局から受信することと、
前記基地局から、前記マルチキャスト／ブロードキャスト信号を受信することと、
前記マルチキャスト／ブロードキャスト信号の前記受信に基づいてＣＳＩフィードバックを生成することと、
前記ＣＳＩフィードバックの状態またはタイプの少なくとも１つを決定することと、
前記複数のランダムアクセスチャネルリソースから、前記ＣＳＩフィードバックの前記状態または前記タイプに基づいて少なくとも１つのランダムアクセスチャネルリソースを選択することと、
前記少なくとも１つのランダムアクセスチャネルリソースを使用して、前記ＣＳＩフィードバックの前記状態または前記タイプに少なくとも部分的に基づいて、前記ＣＳＩフィードバックを示す信号を、無線リソース制御（ＲＲＣ）接続モードに移行することなくＲＲＣアイドルモードにある間に前記基地局に送信することと、前記少なくとも１つのランダムアクセスチャネルリソースの前記使用は、前記基地局に前記ＣＳＩフィードバックの前記状態または前記タイプを示す、
を行うように構成される、ＵＥ。
【請求項３１】
ワイヤレス通信のための基地局であって、
メモリと、
前記メモリに結合された１つまたは複数のプロセッサと
を備え、前記メモリおよび前記１つまたは複数のプロセッサは、
複数のユーザ機器（ＵＥ）に送信されるべきマルチキャストまたはブロードキャスト（マルチキャスト／ブロードキャスト）信号に関するチャネル状態情報（ＣＳＩ）フィードバックを提供するために前記ＵＥを含む複数のＵＥによって使用可能な複数のランダムアクセスチャネルリソースを識別する構成情報を送信することと、
前記マルチキャスト／ブロードキャスト信号を前記複数のＵＥに送信することと、
前記マルチキャスト／ブロードキャスト信号に関連付けられたＣＳＩフィードバックを示す信号を、前記少なくとも１つのＵＥが無線リソース制御（ＲＲＣ）アイドルモードにある間に前記複数のＵＥのうちの少なくとも１つのＵＥから受信することと、前記信号は、前記複数のランダムアクセスチャネルリソースのうちの少なくとも１つのランダムアクセスチャネルリソース上で受信され、前記少なくとも１つのランダムアクセスチャネルリソース上で前記信号を前記受信することは、前記ＣＳＩフィードバックの状態またはタイプを示し、
前記少なくとも１つのランダムアクセスチャネルリソースによって示されたＣＳＩフィードバックの前記状態または前記タイプに少なくとも部分的に基づいて、前記ＣＳＩフィードバックを解釈することと
を行うように構成される、基地局。
【請求項３２】
前記信号は、前記複数のＵＥのうちの複数の異なるＵＥによって生成される、請求項３１に記載の基地局。
【手続補正２】
【補正対象書類名】明細書
【補正対象項目名】００９２
【補正方法】変更
【補正の内容】
【００９２】
[00101]本明細書で使用されたいかなる要素、動作、または命令も、そうであると明確に説明されていない限り、重要または不可欠であると解釈されるべきではない。また、本明細書で使用される場合、冠詞「ａ」および「ａｎ」は、１つまたは複数のアイテムを含むように意図され、「１つまたは複数」と交換可能に使用され得る。さらに、本明細書で使用される場合、「セット」および「グループ」という用語は、１つまたは複数のアイテム（例えば、関連するアイテム、関連のないアイテム、関連するアイテムと関連のないアイテムとの組合せ、および／または同様のもの）を含むように意図され、「１つまたは複数」と交換可能に使用され得る。１つのアイテムのみが意図される場合、「１つのみ」という用語または同様の文言が使用される。また、本明細書で使用される場合、「有する（has）」、「有する（have）」、「有している（having）」という用語、および／または同様のものは、オープンエンド型（open-ended）の用語であるように意図される。さらに、「〜に基づいて」という表現は、別段に明記されていない限り、「〜に少なくとも部分的に基づいて」を意味するように意図される。
以下に、本願の出願当初の特許請求の範囲に記載された発明を付記する。
［Ｃ１］
ユーザ機器（ＵＥ）によって実行されるワイヤレス通信の方法であって、
マルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を受信することと、
前記少なくとも１つのランダムアクセスチャネルリソースを使用して、前記ＣＳＩフィードバックに少なくとも部分的に基づいて信号を送信することと
を備える方法。
［Ｃ２］
前記少なくとも１つのランダムアクセスチャネルリソースは、物理ランダムアクセスチャネルリソースを含む、Ｃ１に記載の方法。
［Ｃ３］
前記構成情報は、前記少なくとも１つのランダムアクセスチャネルリソースに関連付けられた時間、周波数、またはプリアンブルのうちの少なくとも１つを識別する、Ｃ１に記載の方法。
［Ｃ４］
前記少なくとも１つのランダムアクセスチャネルリソースは、前記構成情報によって識別される複数のランダムアクセスチャネルリソースのうちの１つであり、前記方法は、  前記ＣＳＩフィードバックに少なくとも部分的に基づいて、前記複数のランダムアクセスチャネルリソースから前記少なくとも１つのランダムアクセスチャネルリソースを選択すること
をさらに備える、Ｃ１に記載の方法。
［Ｃ５］
前記複数のランダムアクセスチャネルリソースは、それぞれのＣＳＩフィードバック状態に関連付けられており、前記少なくとも１つのランダムアクセスチャネルリソースは、前記少なくとも１つのランダムアクセスチャネルリソースに関連付けられたＣＳＩフィードバック状態に少なくとも部分的に基づいて選択される、Ｃ４に記載の方法。
［Ｃ６］
前記少なくとも１つのランダムアクセスチャネルリソースは、第１のタイプの送信に関するＣＳＩフィードバックのために使用されるべき第１のランダムアクセスチャネルリソースであり、
前記構成情報は、第２のタイプの送信に関するＣＳＩフィードバックのために使用されるべき第２のランダムアクセスチャネルリソースを識別する、Ｃ１に記載の方法。
［Ｃ７］
前記構成情報は、システム情報または制御情報中で受信される、Ｃ１に記載の方法。
［Ｃ８］
前記マルチキャスト／ブロードキャスト信号に関連付けられた基準信号に少なくとも部分的に基づいて、前記ＣＳＩフィードバックを決定すること
をさらに備える、Ｃ１に記載の方法。
［Ｃ９］
前記信号は、前記ＵＥが接続モードに入ることなしに送信される、Ｃ１に記載の方法。
［Ｃ１０］
前記信号は、前記ＵＥがアイドルモードにある間に送信される、Ｃ１に記載の方法。
［Ｃ１１］
前記信号は、前記ＵＥがアイドルモードから接続モードに遷移することなしに送信される、Ｃ１に記載の方法。
［Ｃ１２］
前記信号は、ランダムアクセスプリアンブルを備える、Ｃ１に記載の方法。
［Ｃ１３］
前記信号は、ランダムアクセスペイロードを備える、Ｃ１に記載の方法。
［Ｃ１４］
前記信号は、単一のメッセージ中にランダムアクセスプリアンブルおよびペイロードを備える、Ｃ１に記載の方法。
［Ｃ１５］
基地局（ＢＳ）によって実行されるワイヤレス通信の方法であって、
複数のユーザ機器（ＵＥ）に提供されるべきマルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を送信することと、
前記少なくとも１つのランダムアクセスチャネルリソース上で受信された信号に少なくとも部分的に基づいて、前記ＣＳＩフィードバックを決定することと
を備える方法。
［Ｃ１６］
前記少なくとも１つのランダムアクセスチャネルリソースは、物理ランダムアクセスチャネルリソースを含む、Ｃ１５に記載の方法。
［Ｃ１７］
前記構成情報は、前記少なくとも１つのランダムアクセスチャネルリソースに関連付けられた時間、周波数、またはプリアンブルのうちの少なくとも１つを識別する、Ｃ１５に記載の方法。
［Ｃ１８］
前記少なくとも１つのランダムアクセスチャネルリソースは、前記構成情報によって識別される複数のランダムアクセスチャネルリソースのうちの１つであり、前記ＣＳＩフィードバックは、前記複数のランダムアクセスチャネルリソースのうちのどのランダムアクセスチャネルリソースが前記信号を含むかに少なくとも部分的に基づいて決定される、Ｃ１５に記載の方法。
［Ｃ１９］
前記複数のランダムアクセスチャネルリソースは、それぞれのＣＳＩフィードバック状態に関連付けられている、Ｃ１８に記載の方法。
［Ｃ２０］
前記少なくとも１つのランダムアクセスチャネルリソースは、第１のタイプの送信に関するＣＳＩフィードバックのために使用されるべき第１のランダムアクセスチャネルリソースであり、
前記構成情報は、第２のタイプの送信に関するＣＳＩフィードバックのために使用されるべき第２のランダムアクセスチャネルリソースを識別する、Ｃ１５に記載の方法。
［Ｃ２１］
前記ＣＳＩフィードバックは、前記複数のＵＥのうちのＵＥのグループのためのＣＳＩフィードバックを表す、Ｃ１５に記載の方法。
［Ｃ２２］
前記ＣＳＩフィードバックは、前記信号の強度または電力に少なくとも部分的に基づいて決定される、Ｃ１５に記載の方法。
［Ｃ２３］
前記ＣＳＩフィードバックに少なくとも部分的に基づいて、変調またはコーディング構成を決定すること
をさらに備える、Ｃ１５に記載の方法。
［Ｃ２４］
前記信号は、前記複数のＵＥのうちの複数の異なるＵＥによって生成される、Ｃ１５に記載の方法。
［Ｃ２５］
前記信号は、アイドルモードにある、前記複数のＵＥのうちの複数のＵＥによって生成される、Ｃ１５に記載の方法。
［Ｃ２６］
前記信号は、
ランダムアクセスプリアンブル、
ランダムアクセスペイロード、または
単一のメッセージ中のランダムアクセスプリアンブルおよびペイロード
のうちの少なくとも１つを備える、Ｃ１５に記載の方法。
［Ｃ２７］
ワイヤレス通信のためのユーザ機器（ＵＥ）であって、
メモリと、
前記メモリに結合された１つまたは複数のプロセッサと
を備え、前記メモリおよび前記１つまたは複数のプロセッサは、
マルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を受信することと、
前記少なくとも１つのランダムアクセスチャネルリソースを使用して、前記ＣＳＩフィードバックに少なくとも部分的に基づいて信号を送信することと
を行うように構成される、ＵＥ。
［Ｃ２８］
前記信号は、前記ＵＥが接続モードに入ることなしに送信される、Ｃ２７に記載のＵＥ。
［Ｃ２９］
ワイヤレス通信のための基地局であって、
メモリと、
前記メモリに結合された１つまたは複数のプロセッサと
を備え、前記メモリおよび前記１つまたは複数のプロセッサは、
複数のユーザ機器（ＵＥ）に提供されるべきマルチキャストまたはブロードキャスト（マルチキャスト／ブロードキャスト）信号に関するチャネル状態情報（ＣＳＩ）フィードバックのために使用されるべき少なくとも１つのランダムアクセスチャネルリソースを識別する構成情報を送信することと、
前記少なくとも１つのランダムアクセスチャネルリソース上で受信された信号に少なくとも部分的に基づいて、前記ＣＳＩフィードバックを決定することと
を行うように構成される、基地局。
［Ｃ３０］
前記信号は、前記複数のＵＥのうちの複数の異なるＵＥによって生成される、Ｃ２９に記載の基地局。
【国際調査報告】
2021510994.tif 000012
2021510994.tif 000013
2021510994.tif 000014